(57)【要約】【課題】堅牢性に優れた仮囲いを施工性よく設置するのを可能にする仮囲い用ベース体を実現する。【解決手段】この仮囲い用ベース体１００であれば、複数の仮囲い用ベース体１００を連結して仮囲いの基礎をつくった後、それら仮囲い用ベース体１００の第１ベース部１０（接続部材１１）に単管パイプ５０を接続するなどして、施工性よく単管パイプ５０、長尺単管パイプ６０、短尺単管パイプ７０を立体的に組み付けることができるので、堅牢性に優れた仮囲い９０を施工性よく設置することができる。特に、トラス構造を成すように、単管パイプ５０、長尺単管パイプ６０、短尺単管パイプ７０を組み付ければ、より一層堅牢性に優れた仮囲い９０とすることができる。【選択図】図１
2019148057.tif 000002
【特許請求の範囲】
【請求項１】
仮囲いを設置するのに用いる仮囲い用ベース体であって、
三角形の頂点に相当する三箇所のうち少なくとも一箇所に設けられた第１ベース部と、前記三箇所のうち前記第１ベース部の配設箇所を除く少なくとも一箇所に設けられた第２ベース部と、前記第１ベース部と前記第２ベース部とを結合している結合部材と、を備え、
前記第１ベース部は、所定の支柱が垂直に接続される接続部材と、前記接続部材が上面に設けられたベース部材と、を備え、
前記第２ベース部は、前記ベース部材の平面形状に対応した形状の開口を有する枠部材を備え、
当該仮囲い用ベース体は、一の仮囲い用ベース体の前記第２ベース部の枠部材に、他の仮囲い用ベース体の前記第１ベース部のベース部材が嵌め合わせられて、連結可能に構成されていることを特徴とする仮囲い用ベース体。
【請求項２】
前記第１ベース部は、三角形の頂点に相当する三箇所のうちの二箇所に設けられ、
前記第２ベース部は、前記三箇所のうち前記第１ベース部の配設箇所を除く一箇所に設けられていることを特徴とする請求項１に記載の仮囲い用ベース体。
【請求項３】
前記第１ベース部と前記第２ベース部は、正三角形の頂点に相当する位置に設けられていることを特徴とする請求項１又は２に記載の仮囲い用ベース体。
【請求項４】
前記ベース部材の平面形状は、正多角形であることを特徴とする請求項１〜３のいずれか一項に記載の仮囲い用ベース体。
【請求項５】
当該仮囲い用ベース体は、前記結合部材の一端部に前記第１ベース部が設けられ、その他端部に前記第２ベース部が設けられている２つの準ベース体の連結体であり、
一方の準ベース体の前記第２ベース部の枠部材に、他方の準ベース体の前記第１ベース部のベース部材が嵌め合わせられてなることを特徴とする請求項１〜４のいずれか一項に記載の仮囲い用ベース体。 
【発明の詳細な説明】
【技術分野】
【０００１】
本発明は、仮囲いを設置するのに用いる仮囲い用ベース体に関する。
【背景技術】
【０００２】
従来、所定間隔をあけて並べたウエイトの間にフェンス体を立設させて組み立てることができる仮設フェンスが知られている（例えば、特許文献１参照。）。
この仮設フェンスは、通行人が工事現場に立ち入らないようにするとともに、通行人が安全に通行できるスペースを確保するために、工事現場と通路を区切る仮囲いとして設置される。
【先行技術文献】
【特許文献】
【０００３】
【特許文献１】特開平７−６２８９２号公報
【発明の概要】
【発明が解決しようとする課題】
【０００４】
しかしながら、上記特許文献１の仮設フェンスの場合、所望する範囲に容易に設置することはできるが、フェンス体一枚分の厚みでは仮囲いとしての堅牢性が十分ではないと使用が敬遠されることがあった。
そこで、本発明者らが鋭意検討し、堅牢性に優れた仮囲いを施工性よく設置するための技術を開発するに至った。
【０００５】
本発明の目的は、堅牢性に優れた仮囲いを施工性よく設置するのを可能にする仮囲い用ベース体を提供することである。
【課題を解決するための手段】
【０００６】
上記目的を達成するため、この発明は、
仮囲いを設置するのに用いる仮囲い用ベース体であって、
三角形の頂点に相当する三箇所のうち少なくとも一箇所に設けられた第１ベース部と、前記三箇所のうち前記第１ベース部の配設箇所を除く少なくとも一箇所に設けられた第２ベース部と、前記第１ベース部と前記第２ベース部とを結合している結合部材と、を備え、
前記第１ベース部は、所定の支柱が垂直に接続される接続部材と、前記接続部材が上面に設けられたベース部材と、を備え、
前記第２ベース部は、前記ベース部材の平面形状に対応した形状の開口を有する枠部材を備え、
当該仮囲い用ベース体は、一の仮囲い用ベース体の前記第２ベース部の枠部材に、他の仮囲い用ベース体の前記第１ベース部のベース部材が嵌め合わせられて、連結可能に構成されているようにした。
【０００７】
例えば、三角形の頂点に相当する三箇所のうちの二箇所に第１ベース部が設けられ、その三箇所のうちの一箇所に第２ベース部が設けられている仮囲い用ベース体を複数連結すると、連なった三角形の頂点に相当する位置に第１ベース部が配列された態様の仮囲いの基礎をつくることができる。
こうして仮囲いの基礎とした複数の仮囲い用ベース体の第１ベース部の接続部材に支柱を接続すると、上面視した際、連なった三角形の頂点に相当する位置に支柱を立設することができる。
そして、連なった三角形の頂点に相当する位置に立設した支柱に対し、パイプ部材などを組み付けるようにすれば、複数の支柱や複数のパイプ部材が立体的に組み付けられてなる仮囲い（あるいは仮囲いの骨組み）を施工性よく組み立てて設置することができる。
特に、複数の支柱が上面視して連なった三角形の頂点に相当する位置に立設されていれば、複数の支柱と複数のパイプ部材とによってトラス構造を成すような仮囲い（あるいは仮囲いの骨組み）を組み立てることが可能になり、堅牢性に優れた仮囲いを施工性よく設置することができる。
【０００８】
また、望ましくは、
前記第１ベース部は、三角形の頂点に相当する三箇所のうちの二箇所に設けられ、
前記第２ベース部は、前記三箇所のうち前記第１ベース部の配設箇所を除く一箇所に設けられているようにする。
【０００９】
このような仮囲い用ベース体であれば、前述したように、堅牢性に優れた仮囲いを施工性よく設置することができる。
【００１０】
また、望ましくは、
前記第１ベース部と前記第２ベース部は、正三角形の頂点に相当する位置に設けられているようにする。
【００１１】
仮囲い用ベース体における第１ベース部と第２ベース部が、正三角形の頂点に相当する位置に設けられていれば、複数の仮囲い用ベース体を連結してなる仮囲いの基礎に等間隔にバランスよく支柱を立設することができ、より堅牢性に優れた仮囲いをつくることができる。
【００１２】
また、望ましくは、
前記ベース部材の平面形状は、正多角形であるようにする。
【００１３】
ベース部材の平面形状が正多角形であれば、複数の仮囲い用ベース体を直線状に連結することに限らず、隣り合う仮囲い用ベース体の向きを変えて所定の角度をつけて連結することも可能になる。
また、ベース部材の平面形状が正多角形であれば、複数の仮囲い用ベース体を連結する際、第１ベース部と第２ベース部が回転不能な状態で連結されるので、連結した仮囲い用ベース体の向きがずれないようにすることができる。
【００１４】
また、望ましくは、
当該仮囲い用ベース体は、前記結合部材の一端部に前記第１ベース部が設けられ、その他端部に前記第２ベース部が設けられている２つの準ベース体の連結体であり、
一方の準ベース体の前記第２ベース部の枠部材に、他方の準ベース体の前記第１ベース部のベース部材が嵌め合わせられてなるようにする。
【００１５】
このような準ベース体を２つ連結してなる仮囲い用ベース体であっても、第１ベース部と第２ベース部を三角形の頂点に相当する位置に配するように連結したものであれば、その仮囲い用ベース体を複数連結して仮囲いの基礎を好適につくることができる。
【発明の効果】
【００１６】
本発明によれば、堅牢性に優れた仮囲いを施工性よく設置するのを可能にする仮囲い用ベース体が得られる。
【図面の簡単な説明】
【００１７】
【図１】本実施形態の仮囲い用ベース体を示す斜視図である。
【図２】複数の仮囲い用ベース体を連結した状態を示す斜視図である。
【図３】仮囲い用ベース体を用いて仮囲いを設置する手順に関する説明図である。
【図４】仮囲い用ベース体を用いて仮囲いを設置する手順に関する説明図である。
【図５】仮囲い用ベース体を用いて仮囲いを設置する手順に関する説明図である。
【図６】仮囲い用ベース体を用いた仮囲いの設置例を示す説明図である。
【図７】仮囲い用ベース体を用いた仮囲いの設置例を示す説明図である。
【図８】仮囲い用ベース体の変形例を示す斜視図である。
【図９】仮囲い用ベース体の変形例を示す斜視図である。
【図１０】仮囲い用ベース体の変形例であり、準ベース体を用いた態様を示す斜視図（ａ）（ｂ）である。
【発明を実施するための形態】
【００１８】
以下、図面を参照して、本発明に係る仮囲い用ベース体の実施形態について詳細に説明する。但し、以下に述べる実施形態には、本発明を実施するために技術的に好ましい種々の限定が付されているが、本発明の範囲を以下の実施形態及び図示例に限定するものではない。
【００１９】
仮囲い用ベース体１００は、施工性よく仮囲いを設置するのに用いる器具である。
本実施形態の仮囲い用ベース体１００は、例えば、図１に示すように、三角形の頂点に相当する三箇所のうちの二箇所に設けられた第１ベース部１０と、その三箇所のうちの一箇所に設けられた第２ベース部２０と、第１ベース部１０と第２ベース部２０とを結合している結合部材３０と、第１ベース部１０同士を結合している結合部材３１と、を備えている。
この仮囲い用ベース体１００における第１ベース部１０と第２ベース部２０は、正三角形の頂点に相当する位置に設けられている。
つまり、この仮囲い用ベース体１００は、平面視して略正三角形状を呈する構造を有している。
【００２０】
第１ベース部１０は、接続部材１１と、その接続部材１１が上面に設けられているベース部材１２とを備えている。
接続部材１１とベース部材１２は金属製の部材であり、例えば、ベース部材１２の上面に接続部材１１が溶接されて固設されている。
なお、第１ベース部１０は、所謂単管ベース（固定ベース）と称される仮設足場部材に相当する形体を有している。
【００２１】
接続部材１１は、金属製の円筒状部材であり、ベース部材１２の上面に垂直に立設されている。
この接続部材１１には、仮囲いの支柱とする単管パイプなどが接続される。
【００２２】
ベース部材１２は、金属製の板状部材である。
このベース部材１２は、平面視正方形状を呈している。
【００２３】
第２ベース部２０は、金属製の平板状の枠部材２１であり、第１ベース部１０のベース部材１２の平面形状に対応した形状（ここでは正方形状）の開口２２を有している。
この枠部材２１は、ベース部材１２と略同じ厚みを有している。
【００２４】
結合部材３０は、金属製の長尺な板状部材であり、一端部に第１ベース部１０が設けられ、他端部に第２ベース部２０が設けられている。具体的には、結合部材３０の一端部は、第１ベース部１０のベース部材１２の上面に溶接などで固設され、他端部は、第２ベース部２０の枠部材２１の上面に溶接などで固設されている。
結合部材３１は、金属製の長尺な板状部材であり、両端部に第１ベース部１０が設けられている。具体的には、結合部材３１の両端部は、第１ベース部１０のベース部材１２の上面に溶接などで固設されている。
【００２５】
このような構造の仮囲い用ベース体１００は、図２に示すように、一の仮囲い用ベース体１００の第２ベース部２０の枠部材２１に、他の仮囲い用ベース体１００の第１ベース部１０のベース部材１２を嵌め合わせるようにして連結することができる。
そして、例えば、工事現場と通路を区切る仮囲いを設置する際、その仮囲いを設置する範囲に亘って、複数の仮囲い用ベース体１００を連結して配置する。
こうして仮囲い用ベース体１００を連結すると、正三角形の一辺に相当する結合部材３０が直線上に並ぶように複数の仮囲い用ベース体１００が連なり、連なった正三角形の頂点に相当する位置に第１ベース部１０の接続部材１１が配列された態様になる。
このように連結した複数の仮囲い用ベース体１００を仮囲いの基礎とする。
【００２６】
次に、仮囲い用ベース体１００を用いて仮囲いを設置する手順について説明する。
まず、前述したように、複数の仮囲い用ベース体１００を連結して仮囲いの基礎をつくる（図２参照）。
【００２７】
複数の仮囲い用ベース体１００を連結した後、図３に示すように、第１ベース部１０の接続部材１１に支柱とする単管パイプ５０を垂直（鉛直）に接続する。こうして上面視した際、連なった正三角形の頂点に相当する位置に単管パイプ５０を立設することができる。
【００２８】
次いで、図４に示すように、複数の仮囲い用ベース体１００の第１ベース部１０（接続部材１１）に接続された支柱用の単管パイプ５０に長尺単管パイプ６０や短尺単管パイプ７０を、パイプクランプなどを用いて組み付ける。
ここで長尺単管パイプ６０や短尺単管パイプ７０は、単管パイプ５０に対し垂直に組み付けられている。
このように、単管パイプ５０、長尺単管パイプ６０、短尺単管パイプ７０を立体的に組み付けることで、堅牢性に優れた仮囲いの骨組みを組み立てることができる。
特に、複数の単管パイプ５０が上面視して連なった正三角形の頂点に相当する位置に立設されているので、その単管パイプ５０に長尺単管パイプ６０や短尺単管パイプ７０を組み付けて、トラス構造を成すような仮囲いの骨組みを組み立て易くなっている。
トラス構造を成すように、単管パイプ５０、長尺単管パイプ６０、短尺単管パイプ７０を組み付ければ、より一層堅牢性に優れた仮囲いの骨組みを組み立てることができる。
【００２９】
次いで、図５に示すように、目隠しや防音などの機能を有するパネル８０を単管パイプ５０などからなる骨組みに組み付けることで、堅牢性に優れた仮囲い９０を構築でき、工事現場と通路を区切る仮囲い９０を設置することができる。
ここでは、複数の仮囲い用ベース体１００（仮囲いの基礎）における正三角形の頂点（第１ベース部１０）が並んだ骨組みの面側にパネル８０を組み付けたが、正三角形の辺（結合部材３０）が連なった骨組みの面側にパネル８０を組み付けてもよい。
また、複数の仮囲い用ベース体１００（仮囲いの基礎）における結合部材３０，３１の上に錘を載置するようにすれば、仮囲い９０の姿勢がより安定するので好ましい。
【００３０】
このように、本実施形態の仮囲い用ベース体１００であれば、複数の仮囲い用ベース体１００を連結して仮囲いの基礎をつくった後、それら仮囲い用ベース体１００の第１ベース部１０（接続部材１１）に単管パイプ５０を接続するなどして、施工性よく単管パイプ５０、長尺単管パイプ６０、短尺単管パイプ７０を立体的に組み付けることができるので、堅牢性に優れた仮囲い９０を施工性よく設置することができる。
【００３１】
また、この仮囲い９０でコーナー部分を囲う場合には、例えば、図６に示すように、複数の仮囲い用ベース体１００を連結してなる仮囲いの基礎を交差させる配置につくるようにすればよい。
このとき、仮囲い９０の角となる箇所に単管ベースＢを設置し、その単管ベースＢに単管パイプ５０を鉛直に接続すれば、単管パイプ５０、長尺単管パイプ６０、短尺単管パイプ７０などからなる骨組みにパネル８０を組み付け易くなる。なお、図６においては、単管パイプ５０、長尺単管パイプ６０、短尺単管パイプ７０の図示を省略している。
なお、図中上下方向に仮囲い用ベース体１００が連結された仮囲いの基礎に組み付けられた単管パイプ５０と、図中左右方向に仮囲い用ベース体１００が連結された仮囲いの基礎に組み付けられた単管パイプ５０を、長尺単管パイプ６０や短尺単管パイプ７０で接続するようにしてもよい。
【００３２】
また図中、複数の仮囲い用ベース体１００を連結してなる仮囲いの基礎の端部側に、第１ベース部１０が嵌め合わされていない第２ベース部２０があるが、この第２ベース部２０に単管ベースＢを設置し、その単管ベースＢに単管パイプ５０を鉛直に接続するなどして、さらに長尺単管パイプ６０や短尺単管パイプ７０を組み付けるようにしてもよい。
【００３３】
また、このような仮囲い９０でコーナー部分を囲う場合、複数の仮囲い用ベース体１００を連結してなる仮囲いの基礎を交差させる配置につくり、それぞれの基礎に接続した単管パイプ５０に長尺単管パイプ６０や短尺単管パイプ７０などを繋げてなる平面視略Ｌ字状の二面一体型の仮囲い９０を設置することに限らず、それぞれ独立した二体の仮囲い９０を交差する配置に設置してもよい。
【００３４】
また、複数の仮囲い用ベース体１００を連結してなる仮囲いの基礎を交差させる配置につくる場合、例えば、図７に示すように、一方の基礎（仮囲い用ベース体１００）の第２ベース部２０の枠部材２１に、他方の基礎（仮囲い用ベース体１００）の第１ベース部１０のベース部材１２を嵌め合わせるように連結してもよい。
このときも仮囲い９０の角となる箇所に単管ベースＢを設置し、その単管ベースＢに単管パイプ５０を鉛直に接続すれば、単管パイプ５０、長尺単管パイプ６０、短尺単管パイプ７０などからなる骨組みにパネル８０を組み付け易くなる。なお、図７においては、単管パイプ５０、長尺単管パイプ６０、短尺単管パイプ７０の図示を省略している。
このように、第１ベース部１０のベース部材１２の平面形状が正多角形（ここでは正方形）であれば、複数の仮囲い用ベース体１００を直線状に連結することに限らず、所定の角度（ここでは９０°）をつけて隣り合う仮囲い用ベース体１００を連結することも可能になる。
【００３５】
なお、本発明は上記実施形態に限られるものではない。
例えば、図８に示すように、三角形の頂点に相当する三箇所のうちの一箇所に設けられた第１ベース部１０と、その三箇所のうちの二箇所に設けられた第２ベース部２０と、第１ベース部１０と第２ベース部２０とを結合している結合部材３０と、第２ベース部２０同士を結合している結合部材３２と、を備えた仮囲い用ベース体１００であってもよい。
また、三角形の頂点に相当する三箇所に第１ベース部１０が設けられている仮囲い用ベース体１００や、三角形の頂点に相当する三箇所に第２ベース部２０が設けられている仮囲い用ベース体１００であってもよい。
このようなタイプの仮囲い用ベース体１００と、上述した仮囲い用ベース体１００（図１参照）を適宜組み合せて連結することによっても、仮囲い９０の基礎を好適につくることができる。
【００３６】
また、上述した仮囲い用ベース体１００（図１参照）では、第１ベース部１０のベース部材１２の平面形状は正方形状であるとしたが、ベース部材１２の平面形状は正多角形であればよく、例えば、図９に示すように、平面視正六角形状を呈するベース部材１２を備えた仮囲い用ベース体１００であってもよい。なお、この仮囲い用ベース体１００の第２ベース部２０（枠部材２１）の開口２２は、正六角形状に形成されている。
このような仮囲い用ベース体１００であっても、複数の仮囲い用ベース体１００を連結して、仮囲い９０の基礎を好適につくることができる。
【００３７】
また、例えば、図１０（ａ）（ｂ）に示すように、仮囲い用ベース体１００は、２つの準ベース体１０１の連結体であってもよい。
具体的には、準ベース体１０１は、結合部材３０の一端部に第１ベース部１０が設けられ、その他端部に第２ベース部２０が設けられている器具である。
そして、図１０（ａ）に示すように、一方の準ベース体１０１の第２ベース部２０の枠部材２１に、他方の準ベース体１０１の第１ベース部１０のベース部材１２を嵌め合わせるように連結することで、図１０（ｂ）に示すような態様の仮囲い用ベース体１００が得られる。
ここで、２つの準ベース体１０１を連結してなる仮囲い用ベース体１００は、第１ベース部１０と第２ベース部２０を三角形の頂点に相当する位置に配するように連結したものである。
このような仮囲い用ベース体１００であっても、仮囲い９０の基礎を好適につくることができる。
【００３８】
また、準ベース体１０１同士を連結することに限らず、例えば、仮囲い用ベース体１００と準ベース体１０１を連結するようにしてもよい。
こうすることで、複数の仮囲い用ベース体１００を連結して仮囲いの基礎をつくる際、あと１つ仮囲い用ベース体１００を連結するには仮囲い用ベース体１００では大き過ぎる場合に代わりに準ベース体１０１を連結するようにして、仮囲いの基礎の長さ調整を行うことができる。
つまり、この準ベース体１０１は、仮囲い用ベース体１００の半分の長さに相当するベース体として用いることができる。
【００３９】
なお、以上の実施の形態において、仮囲い用ベース体１００は、平面視して略正三角形状を呈する構造を有しているとしたが、本発明はこれに限定されるものではなく、例えば、平面視して二等辺三角形状や直角三角形状を呈する構造の仮囲い用ベース体１００であっても、任意の三角形状を呈する構造の仮囲い用ベース体１００であってもよい。
【００４０】
また、以上の実施の形態では、複数の仮囲い用ベース体１００を連結してなる仮囲いの基礎に単管パイプ５０を立設し、その単管パイプ５０に長尺単管パイプ６０と短尺単管パイプ７０を立体的に組み付け、更にパネル８０を取り付けた仮囲い９０について説明したが、本発明はこれに限定されるものではなく、例えば、複数の仮囲い用ベース体１００を連結してなる仮囲いの基礎に立設した単管パイプ５０に、より多くの長尺単管パイプ６０と短尺単管パイプ７０を高密度に組み付けてなる仮囲い９０であってもよい。
【００４１】
また、その他、具体的な細部構造等についても適宜に変更可能であることは勿論である。
【符号の説明】
【００４２】
１０    第１ベース部
１１    接続部材
１２    ベース部材
２０    第２ベース部
２１    枠部材
２２    開口
３０    結合部材
３１    結合部材
３２    結合部材
５０    単管パイプ（支柱）
６０    長尺単管パイプ
７０    短尺単管パイプ
８０    パネル
９０    仮囲い
１００  仮囲い用ベース体
１０１  準ベース体
Ｂ      単管ベース
【図１】
2019148057.tif 000003
【図２】
2019148057.tif 000004
【図３】
2019148057.tif 000005
【図４】
2019148057.tif 000006
【図５】
2019148057.tif 000007
【図６】
2019148057.tif 000008
【図７】
2019148057.tif 000009
【図８】
2019148057.tif 000010
【図９】
2019148057.tif 000011
【図１０】
2019148057.tif 000012